(57)【要約】【課題】ディジタル録音式の演奏再生装置においてピッチ変更に伴う不定ピッチ系演奏音の音質劣化を防ぐ。【解決手段】ハードディスク３８は、ドラム音、拍手音等の不定ピッチ系演奏音のディジタル録音データを記録した第１の記録トラックと、弦楽器音、管楽器音等の定ピッチ系演奏音のディジタル録音データを記録した第２の記録トラックとを有する。各記録トラックの録音データは、例えばＭＰ３方式等により圧縮符号化されている。演奏再生の際には、選曲に係る録音データがディスク３８からＲＡＭ１６に転送され、不定ピッチ系及び定ピッチ系の録音データがそれぞれ処理チャンネルＣ１及びＣ２で処理される。操作部３４で所望のテンポ変更量又はピッチ変更量を指示すると、ピッチ制御器３２又は３３ではピッチ制御を行なうが、ピッチ制御器３０ではピッチ制御を行なわないことで不定ピッチ系演奏音の音質劣化を防ぐ。【選択図】図１
2005257832.tif 000002
【特許請求の範囲】
【請求項１】
演奏すべき楽曲に従って作成された不定ピッチ系演奏音のディジタル録音データからなる第１系列の録音データと前記楽曲に従って作成された定ピッチ系演奏音のディジタル録音データからなる第２系列の録音データとを記憶する記憶手段と、
この記憶手段から前記第１及び第２系列の録音データをそれぞれ楽曲進行に従って時系列的に読出すことにより前記第１系列の録音データに基づいてアナログ形式の不定ピッチ系演奏音信号を再生すると共に前記第２系列の録音データに基づいてアナログ形式の定ピッチ系演奏音信号を再生する再生手段と、
所望のピッチ変更量を指示する指示手段と、
前記再生手段において前記第１及び第２系列の録音データのうち前記第２系列の録音データのみについて前記指示手段で指示されたピッチ変更量に対応してピッチを変更制御するピッチ制御手段と
を備えた演奏再生装置。
【請求項２】
演奏すべき楽曲に従って作成された不定ピッチ系演奏音のディジタル録音データからなる第１系列の録音データと前記楽曲に従って作成された定ピッチ系演奏音のディジタル録音データからなる第２系列の録音データとを記憶する記憶手段と、
この記憶手段から前記第１及び第２系列の録音データをそれぞれ楽曲進行に従って時系列的に読出すことにより前記第１系列の録音データに基づいてアナログ形式の不定ピッチ系演奏音信号を再生すると共に前記第２系列の録音データに基づいてアナログ形式の定ピッチ系演奏音信号を再生する再生手段と、
所望のテンポ変更量を指示する指示手段と、
前記再生手段において前記第１及び第２系列の録音データについて前記指示手段で指示されたテンポ変更量に対応して再生テンポを変更制御するテンポ制御手段と、
前記再生手段において前記第１及び第２系列の録音データのうち前記第２系列の録音データのみについて前記再生テンポの変更に伴うピッチ変化をなくすようにピッチを修正制御するピッチ制御手段と
を備えた演奏再生装置。
【請求項３】
前記第１系列の録音データについてピッチ修正を選択する選択手段と、
この選択手段でピッチ修正が選択されることを条件として前記再生手段において前記第１系列の録音データについて前記再生テンポの変更に伴うピッチ変化をなくすようにピッチを修正する他のピッチ制御手段と
を更に備えた請求項２記載の演奏再生装置。
【発明の詳細な説明】
【技術分野】
【０００１】
この発明は、カラオケ演奏装置等として用いるに好適なディジタル録音式の演奏再生装置に関し、特にキー又はピッチ（音高）制御部の改良に関するものである。
【背景技術】
【０００２】
従来、ＭＩＤＩ（Musical  Instrument  Digital Interface）規格に準拠した演奏再生装置としては、予めピッチ制御不要なドラム音等の打楽器音の発音チャンネルを設定しておき、演奏再生の際には設定に係る発音チャンネル以外の発音チャンネルを検出してピッチ制御を行ない、設定に係る発音チャンネルについてはピッチ制御を行なわないようにしたものが知られている（例えば、特許文献１参照）。
【０００３】
また、キー又はピッチ制御可能なカラオケ演奏装置としては、演奏コマンドデータ中のＭＩＤＩコマンドデータに基づいてＭＩＤＩ音源を制御して音楽を再生すると共に演奏コマンドデータ中の再生音指定データに基づいてハードディスク内のＡＤＰＣＭ（適応差分パルス符号変調）データを読出してバックコーラス音又は効果音（船の音、雨の音等）を再生する際に読出データがバックコーラス音であればピッチ制御を行ない、読出データが効果音であればピッチ制御を行なわないようにしたものが知られている（例えば、特許文献２参照）。
【特許文献１】特開平４−１７１４９２号公報
【特許文献２】特許第２９９６０２７号公報
【発明の開示】
【発明が解決しようとする課題】
【０００４】
近年、音質良好なカラオケ演奏装置としては、ハードディスク等に記録したディジタル録音データを読出して演奏を再生するディジタル録音式の演奏再生装置が提案されている。
【０００５】
このようなカラオケ演奏装置において、ユーザが演奏曲のキー又はピッチを変更すべく操作を行なうと、弦楽器音、管楽器音等の定ピッチ系演奏音のピッチが変更制御されると共に、ドラム音、拍手音等の不定ピッチ系演奏音のピッチも変更制御される。不定ピッチ系演奏音のピッチが変更されるのは、不自然であり、しかもピッチ変更制御処理により音質が劣化するという問題点がある。なお、「不定ピッチ系演奏音」とは、ドラム音、拍手音のように一定のピッチ（周波数）を有するとはいえない演奏音であり、打楽器音や効果音等に多い。また、「定ピッチ系演奏音」とは、弦楽器音、管楽器音のように一定のピッチ（周波数）を有する演奏音であり、打楽器であってもシロフォン等のように定ピッチ系演奏音を発生するものがある。
【０００６】
前述した従来技術によれば、打楽器音又は効果音にピッチ変更制御をかけないようにすることは可能である。しかし、上記したディジタル録音式演奏再生装置と前述の従来技術とでは、動作原理が全く異なるため、前述の従来技術をそのままディジタル録音式演奏再生装置に応用することはできない。
【０００７】
この発明の目的は、キー又はピッチの変更に伴って不定ピッチ系演奏音の音質劣化を防ぐことができる新規なディジタル録音式演奏再生装置を提供することにある。
【課題を解決するための手段】
【０００８】
この発明に係る第１の演奏再生装置は、
演奏すべき楽曲に従って作成された不定ピッチ系演奏音のディジタル録音データからなる第１系列の録音データと前記楽曲に従って作成された定ピッチ系演奏音のディジタル録音データからなる第２系列の録音データとを記憶する記憶手段と、
この記憶手段から前記第１及び第２系列の録音データをそれぞれ楽曲進行に従って時系列的に読出すことにより前記第１系列の録音データに基づいてアナログ形式の不定ピッチ系演奏音信号を再生すると共に前記第２系列の録音データに基づいてアナログ形式の定ピッチ系演奏音信号を再生する再生手段と、
所望のピッチ変更量を指示する指示手段と、
前記再生手段において前記第１及び第２系列の録音データのうち前記第２系列の録音データのみについて前記指示手段で指示されたピッチ変更量に対応してピッチを変更制御するピッチ制御手段と
を備えたものである。
【０００９】
第１の演奏再生装置によれば、再生手段において第１及び第２系列の録音データのうち第２系列の録音データのみについて指示に係るピッチ変更量に対応してピッチを変更制御するようにしたので、第１系列の録音データについてはピッチ変更制御が行なわれない。従って、不定ピッチ系演奏音信号の音質劣化を防止することができ、自然感のある不定ピッチ系演奏音信号が得られる。なお、不定ピッチ系演奏音信号については、元々ピッチが一定していないので、ピッチ変更を省略しても特に問題はない。
【００１０】
この発明に係る第２の演奏再生装置は、
演奏すべき楽曲に従って作成された不定ピッチ系演奏音のディジタル録音データからなる第１系列の録音データと前記楽曲に従って作成された定ピッチ系演奏音のディジタル録音データからなる第２系列の録音データとを記憶する記憶手段と、
この記憶手段から前記第１及び第２系列の録音データをそれぞれ楽曲進行に従って時系列的に読出すことにより前記第１系列の録音データに基づいてアナログ形式の不定ピッチ系演奏音信号を再生すると共に前記第２系列の録音データに基づいてアナログ形式の定ピッチ系演奏音信号を再生する再生手段と、
所望のテンポ変更量を指示する指示手段と、
前記再生手段において前記第１及び第２系列の録音データについて前記指示手段で指示されたテンポ変更量に対応して再生テンポを変更制御するテンポ制御手段と、
前記再生手段において前記第１及び第２系列の録音データのうち前記第２系列の録音データのみについて前記再生テンポの変更に伴うピッチ変化をなくすようにピッチを修正制御するピッチ制御手段と
を備えたものである。
【００１１】
第２の演奏再生装置によれば、再生手段において第１及び第２系列の録音データのうち第２系列の録音データのみについて再生テンポの変更に伴うピッチ変化をなくすようにピッチを修正制御するようにしたので、第１の録音データについてはピッチ修正制御が行なわれない。従って、不定ピッチ系演奏音信号の音質劣化を防止することができる。なお、不定ピッチ系演奏音信号については、元々ピッチが一定していないので、ピッチ修正を省略しても特に問題はない。
【００１２】
上記した第２の演奏再生装置においては、前記第１系列の録音データについてピッチ修正を選択する選択手段と、この選択手段でピッチ修正が選択されることを条件として前記再生手段において前記第１系列の録音データについて前記再生テンポの変更に伴うピッチ変化をなくすようにピッチを修正する他のピッチ制御手段とを更に設けてもよい。このようにすると、ユーザが第１系列の録音データについてピッチ修正するかしないかを任意に選択可能となる。
【発明の効果】
【００１３】
この発明によれば、ディジタル録音式の演奏再生装置において、ディジタル録音データを不定ピッチ系演奏音のものと定ピッチ系演奏音のものとに分けて用意すると共に演奏再生の際に不定ピッチ系演奏音の録音データについてはピッチ変更制御を回避するようにしたので、不定ピッチ系演奏音の音質劣化を防止でき、不定ピッチ系演奏音及び定ピッチ系演奏音のいずれについても音質良好な演奏を楽しめる効果が得られる。
【発明を実施するための最良の形態】
【００１４】
図１は、この発明の一実施形態に係るディジタル録音式の演奏再生装置の回路構成を示すもので、この装置では、演奏再生が小型コンピュータによって制御されるようになっている。
【００１５】
バス１０には、ＣＰＵ（中央処理装置）１２、ＲＯＭ（リード・オンリィ・メモリ）１４、ＲＡＭ（ランダム・アクセス・メモリ）１６、操作検出回路１８、表示制御回路２０、ディスク制御回路２２、クロック発生器２４、デコーダ２６，２８、ピッチ制御器３０，３２，３３等が接続されている。
【００１６】
ＣＰＵ１２は、ＲＯＭ１４にストアされたプログラムに従って演奏再生のための各種処理を実行するもので、これらの処理については図４〜６を参照して後述する。
【００１７】
ＲＡＭ１６は、ＣＰＵ１２による各種処理に際してフラグ、レジスタ等として使用される記憶領域を含むもので、この発明の実施に使用されるレジスタ類としては、選曲フラグＭＦ、再生フラグＲＵＮ、ピッチ修正フラグＰＡＦ、曲番レジスタＭＮＲ、ピッチ変更量レジスタＰＴＲ，ＴＰＲ、テンポ変更量レジスタＴＭＲ等がある。
【００１８】
操作検出回路１８は、操作部３４に設けられた各種スイッチの操作情報を検出するものである。操作部３４には、図２に示すようにテンキー群ＴＫ、選曲スイッチＭＳ、ピッチ変更スイッチＰＴ、テンポ変更スイッチＴＭ、アップスイッチＵＰ、ダウンスイッチＤＮ、標準スイッチＳＤ、ピッチ修正スイッチＰＡ、開始／停止スイッチＳＴＰ等が設けられている。テンキー群ＴＫ中の各キー及びスイッチＭＳ，ＰＴ，ＴＭ，ＵＰ，ＤＮ，ＳＤ，ＰＡ，ＳＴＰは、いずれも押すとオン状態となり且つ離すとオフ状態に戻る自己復帰型押ボタンスイッチからなる。これらのスイッチの操作については、図２を参照して後述する。
【００１９】
表示制御回路２０は、液晶表示器等からなる表示器３６の表示動作を制御するものである。表示器３６の表示パネル３６Ａは、図２に示すように操作部３４の前方に配置されている。
【００２０】
ディスク制御回路２２は、ハードディスク（磁気ディスク）３８を着脱可能なもので、ディスク３８の記録／読出動作を制御する。ハードディスク３８に関するディジタル録音処理については、図３を参照して後述する。
【００２１】
クロック発生器２４は、可変周波数発振器からなるもので、再生用クロック信号ＣＬをデコーダ２６，２８に供給する。デコーダ２６は、ピッチ制御器３０と共に不定ピッチ系処理チャンネルＣ１を構成し、デコーダ２８は、ピッチ制御器３２，３３と共に定ピッチ系処理チャンネルＣ２を構成する。
【００２２】
デコーダ２６，２８は、いずれもＤＳＰ（Digital  Signal  Processor）からなるもので、クロック信号ＣＬに基づいて圧縮符号化データに伸張復号化処理を施す。デコーダ２６，２８では、クロック信号ＣＬの周波数を制御することで再生テンポが制御される。ピッチ制御器３０，３２，３３は、いずれもＤＳＰからなるもので、伸張復号化データ（ＰＣＭデータ）に補間、間引き等を含むピッチ変更制御処理を施す。ピッチ制御器３０，３２は、いずれも再生テンポの変更に伴うピッチ変化をなくすようにピッチを修正制御するためのものである。ユーザは、ピッチ制御器３０を使用するかしないかをピッチ修正スイッチＰＡの操作により選択可能である。ピッチ制御器３０からは、不定ピッチ系のＰＣＭデータが得られ、ピッチ制御器３２からは、定ピッチ系のＰＣＭデータが得られる。ピッチ制御器３３は、ユーザが指示したピッチ変更量に応じてピッチを変更制御するもので、ピッチ制御器３３からは、定ピッチ系のＰＣＭデータが得られる。
【００２３】
加算器４０は、ピッチ制御器３０，３３からのＰＣＭデータを加算し、加算出力データをＤ／Ａ変換器４２に供給する。Ｄ／Ａ変換器４２から出力されるアナログ形式の演奏音信号は、出力アンプ、スピーカ等を含むサウンドシステム４４に供給され、演奏音に変換される。
【００２４】
次に、図２を参照して各種スイッチ操作を説明する。テンキー群ＴＫは、曲番（演奏すべき曲の番号）を指定するためのもので、テンキー群ＴＫ中の１又は複数のキーを押して曲番を指定した後、選曲スイッチＭＳを押すと、指定に係る曲番を有する曲の選択が確定される。表示パネル３６Ａには、指定に係る曲番が表示されると共に選曲が確定したことも表示される。
【００２５】
アップスイッチＵＰ、ダウンスイッチＤＮ及び標準スイッチＳＤは、ピッチ変更及びテンポ変更に共通に用いられるものである。ピッチ変更の際には、ピッチ変更スイッチＰＴを押した後、アップスイッチＵＰ又はダウンスイッチＤＮを押して増大又は減少すべきピッチ変更量を指示可能である。スイッチＵＰ又はＤＮの１回の操作で指示できるピッチ変更量は、一例として半音に対応する値とすることができる。ピッチ変更量を０とする（標準ピッチに戻す）には、標準スイッチＳＤを押す。表示パネル３６Ａには、指示に係るピッチ変更量が表示される。
【００２６】
テンポ変更の際には、テンポ変更スイッチＴＭを押した後、アップスイッチＵＰ又はダウンスイッチＤＮを押して増大又は減少すべきテンポ変更量を指示可能である。スイッチＵＰ又はＤＮの１回の操作で指示できるテンポ変更量は、１分当りの４分音符数で再生テンポを表現する場合、一例として「５」に対応する値とすることができる。この場合、例えば、スイッチＵＰを１回押すと、１分当りの４分音符数に対して「１２５」のテンポを「１３０」にすることができる。テンポ変更量を０とする（標準テンポに戻す）には、標準スイッチＳＤを押す。表示パネル３６Ａには、指示に係るテンポ変更量が表示される。
【００２７】
ピッチ修正スイッチＰＡは、テンポ変更の際に不定ピッチ系演奏音に関してピッチ修正を選択するためのものである。ピッチ修正を選択すると、テンポ変更に伴うピッチ変化をなくすように不定ピッチ系演奏音の録音データについてピッチが修正制御される。ピッチ修正を選択しないと、ピッチ修正制御が行なわれないので、不定ピッチ系演奏音の音質劣化を回避することができる。
【００２８】
開始／停止スイッチＳＴＰは、演奏停止中に押すと、演奏再生が開始され、演奏再生中に押すと、演奏再生が停止されるものである。
【００２９】
図３は、ハードディスク３８に関するディジタル録音処理を示すものである。マルチトラック録音機４６は、ハードディスク３８の第１，第２の記録トラックにそれぞれ対応するマイクロフォンＭ１，Ｍ２を備えている。録音機４６にハードディスク３８をセットした状態において、録音スタジオ４８では、第１の楽曲のリズムパートに従ってドラム音、拍手音等の不定ピッチ系演奏音Ｔ１を発生させ、マイクロフォンＭ１を介してディジタル録音を行なう。ハードディスク３８の第１の記録トラックには、不定ピッチ系演奏音のディジタル録音データからなる録音データＤ１が記録される。録音データＤ１には、一例としてＭＰ３（Moving  Picture  Expert  Group-１  Audio  Layer ３）方式の圧縮符号化処理が施される。
【００３０】
次に、録音スタジオ４８では、先に録音したリズムパートを再生しながら第１の楽曲の他パートに従って弦楽器音、管楽器音等の定ピッチ系演奏音Ｔ２を発生させ、マイクロフォンＭ２を介してディジタル録音を行う。ハードディスク３８の第２の記録トラックには、定ピッチ系演奏音のディジタル録音データからなる録音データＤ２が記録される。録音データＤ２にもＭＰ３方式の圧縮符号化処理が施される。録音データＤ１、Ｄ２により第１の楽曲の録音データファイルＤＦ１が構成される。
【００３１】
この後は、第１の楽曲について上記したと同様にして第２の楽曲の録音データァイルＤＦ２をハードディスク３８内に作成する。ハードディスク３８には、このようにして多数の楽曲の録音データを記録することができる。
【００３２】
図１のディスク制御回路２２には、上記のようにして複数の楽曲の録音データファイルを記録したハードディスク３８をセットする。他の方法としては、ディスク制御回路２２にセットしたハードディスク３８に、通信回線（図示せず）を介して取込んだＤＦ１，ＤＦ２のような録音データファイルを記録するようにしてもよい。
【００３３】
図４は、演奏再生処理を示すもので、この処理は、電源オン等に応じて開始される。ステップ５０では、初期設定処理を行なう。例えば、図１に示したフラグＭＦ，ＲＵＮ，ＰＡＦ及びレジスタＭＮＲ，ＰＴＲ，ＴＰＲ，ＴＭＲにはいずれも０をセットする。
【００３４】
次に、ステップ５２では、選曲フラグＭＦが１か（選曲確定か）判定する。この判定結果が否定的（Ｎ）であれば肯定的（Ｙ）となるまで待つ。選曲フラグＭＦを１とする処理は、図５の操作割込み処理で行なわれる。ステップ５２の判定結果が肯定的（Ｙ）になると、ステップ５４においてレジスタＭＮＲの曲番を有する録音データファイルをハードディスク３８からＲＡＭ１６内の所定の記憶領域に転送する。このとき、クロック発生器２４には、ＲＡＭ１６内の録音データファイルのヘッダーを参照するなどして選択曲の標準テンポに対応するクロック周波数制御情報を供給する。この結果、クロック発生器２４は、標準テンポに対応する周波数を有するクロック信号ＣＬをデコーダ２６，２８に供給する。
【００３５】
ステップ５６では、再生フラグＲＵＮが１か判定する。この判定結果が否定的（Ｎ）であれば肯定的（Ｙ）となるまで待つ。再生フラグＲＵＮを１とする処理は、図５，６の操作割込み処理で行なわれる。ステップ５６の判定結果が肯定的（Ｙ）になると、ステップ５８において、ＲＡＭ１６の録音データファイル中から録音データを読出す。このとき読出される録音データは、不定ピッチ系演奏音又は定ピッチ系演奏音に関するものである。
【００３６】
ステップ６０では、読出データがエンドデータか判定する。この判定結果が否定的（Ｎ）であればステップ６２で読出データをデコーダ２６又は２８へ送出する。すなわち、読出データが不定ピッチ系演奏音に関するものであればデコーダ２６へ、定ピッチ系演奏音に関するものであればデコーダ２８へそれぞれ送出する。このような振り分け送出が可能となるように不定ピッチ系演奏音の録音データ及び定ピッチ系演奏音の録音データにはそれぞれ識別マーク情報が付加されている。
【００３７】
ステップ６４では、再生フラグＲＵＮが０か判定する。この判定結果が否定的（Ｎ）であれば、ステップ５８に戻り、録音データ読出処理を上記したと同様に繰返す。この結果、ＲＡＭ１６からは、選曲に係る録音データファイル中の不定ピッチ系演奏音の録音データ及び定ピッチ系演奏音の録音データがそれぞれ楽曲進行に従って時系列的に読出され、それぞれデコーダ２６及びデコーダ２８に供給される。デコーダ２６，２８は、いずれも圧縮符号化された録音データを伸張復号化してＰＣＭデータを出力する。
【００３８】
ステップ６０の判定結果が肯定的（Ｙ）になると、録音データが終了したことになり、ステップ６６で選曲フラグＭＦに０をセットしてからステップ５２に戻る。また、録音データの読出し中に再生フラグＲＵＮを０にすると、ステップ６４の判定結果が肯定的（Ｙ）となり、ステップ６６で選曲フラグＭＦに０をセットしてからステップ５２に戻る。
【００３９】
図５，６は、操作割込み処理を示すもので、この処理は、操作部３４において選曲スイッチ操作、テンポ変更操作、ピッチ変更操作、ピッチ修正スイッチ操作又は開始／停止スイッチ操作のいずれかの操作が行なわれると開始される。ステップ７０では、選曲フラグＭＦが１か（選曲確定か）判定する。この判定結果が否定的（Ｎ）であればステップ７２で選曲ＳＷ（スイッチ）操作か判定する。この判定結果が肯定的（Ｙ）であればステップ７４でレジスタＭＮＲにテンキー群ＴＫでの指定に係る曲番をセットする。そして、ステップ７６では、選曲フラグに１をセットすることで選曲を確定する。この後、図４の処理にリターンする（戻る）。
【００４０】
ステップ７０の判定結果が肯定的（Ｙ）であったときは、ステップ７８でテンポ変更操作か判定する。この判定結果が肯定的（Ｙ）であればステップ８０でレジスタＴＭＲに現在値＋変更値をセットする。例えば、現在値が０の状態でアップスイッチＵＰを１回押して変更値を指示すると、レジスタＴＭＲのピッチ変更量は「５」に対応する値となる。
【００４１】
ステップ８２では、レジスタＴＭＲのテンポ変更量データをクロック発生器２４に送出する。この結果、クロック信号ＣＬの周波数がレジスタＴＭＲのテンポ変更量に応じて変更制御されるので、デコーダ２６，２８から送出されるＰＣＭデータの再生テンポが該テンポ変更量に応じて変更制御される。上述例のようにレジスタＴＭＲのテンポ変更量が「５」に対応したものであったときは、デコーダ２６，２８から送出されるＰＣＭデータの再生テンポが標準テンポ「１２５」から「１３０」に上昇する。
【００４２】
ステップ８４では、レジスタＴＭＲのテンポ変更量データに基づいてピッチ変更量を算出し、レジスタＴＰＲにセットする。すなわち、再生テンポの変更に伴うピッチ変化をなくすようなピッチ変更量を算出し、このピッチ変更量をレジスタＴＰＲにセットする。例えば、レジスタＴＭＲのテンポ変更量に応じて再生テンポが標準テンポより１０％上昇するときは、再生ピッチが標準ピッチより１０％上昇するので、このようなピッチ上昇をなくす（ピッチを標準ピッチに戻す）ようなピッチ変更量を算出する。
【００４３】
ステップ８６では、フラグＰＡＦが０か（ピッチ修正選択なしか）判定する。この判定結果が肯定的（Ｙ）であったときは、ユーザがピッチ修正を選択しなかった場合であり、ステップ８８においてレジスタＴＰＲのピッチ変更量データをピッチ制御器３０，３２のうちピッチ制御器３２のみに送出する。この結果、定ピッチ系演奏音の録音データのみについてレジスタＴＰＲのピッチ変更量に応じてピッチ変更制御が行なわれ、テンポ変更に伴うピッチ変化はなくなる。このとき、不定ピッチ系演奏音の録音データについてはピッチ変更制御が行なわれず、音質劣化を防ぐことができる。
【００４４】
ステップ８６の判定結果が否定的（Ｎ）であったときは、ユーザがピッチ修正を選択した場合であり、ステップ９０においてレジスタＴＰＲのピッチ変更量データをピッチ制御器３０，３２のいずれにも送出する。この結果、定ピッチ系演奏音の録音データについてピッチ変更制御が行なわれると共に、不定ピッチ系演奏音の録音データについてもピッチ変更制御が行なわれ、定ピッチ系演奏音及び不定ピッチ系演奏音のいずれについてもテンポ変更に伴うピッチ変化がなくなる。
【００４５】
ステップ７８の判定結果が否定的（Ｎ）であったときは、ステップ９２においてピッチ変更操作か判定する。この判定結果が肯定的（Ｙ）であればステップ９４においてレジスタＰＴＲに現在値＋変更値をセットする。例えば、現在値が０の状態でアップスイッチＵＰを１回押して変更値を指示すると、レジスタＰＴＲのピッチ変更量が半音に対応する値となる。
【００４６】
ステップ９５では、レジスタＰＴＲのピッチ変更量データをピッチ制御器３３へ送出する。この結果、上述例のようにレジスタＰＴＲのピッチ変更量が半音に対応したものであったときは、定ピッチ系演奏音のピッチが標準ピッチから半音分上昇する。このとき、不定ピッチ系演奏音の録音データについてはピッチ変更制御が行なわれず、音質劣化を防ぐことができる。なお、ステップ８８，９０又は９５の処理の後は、図４の処理にリターンする。
【００４７】
ステップ９２の判定結果が否定的（Ｎ）であったときは、図６のステップ９６においてピッチ修正ＳＷ（スイッチ）ＰＡの操作か判定する。この判定結果が肯定的（Ｙ）であればステップ９８でフラグＰＡＦが０か判定する。この判定結果が肯定的（Ｙ）であればステップ１００でフラグＰＡＦに１（ピッチ修正選択に対応）をセットし、否定的（Ｎ）であれば（ＰＡＦ＝１であれば）ステップ１０２でフラグＰＡＦに０（ピッチ修正非選択に対応）をセットする。
【００４８】
ステップ９６の判定結果が否定的（Ｎ）であったときは、ステップ１０４において開始／停止ＳＷ（スイッチ）ＳＴＰの操作か判定する。この判定結果が肯定的（Ｙ）であればステップ１０６でフラグＲＵＮが０か判定する。この判定結果が肯定的（Ｙ）であればステップ１０８でフラグＲＵＮに１（演奏開始に対応）をセットし、否定的（Ｎ）であれば（ＲＵＮ＝１であれば）ステップ１１０でフラグＲＵＮに０（演奏停止に対応）をセットする。なお、ステップ１０４の判定結果が否定的（Ｎ）であったとき又はステップ１００，１０２，１０８，１１０のいずれかの処理が終ったときは、図４の処理にリターンする。
【００４９】
なお、この発明は、上記した実施形態に限定されるものではなく、種々の改変形態で実施可能である。例えば、ハードディスク３８へのディジタル録音データの記録や処理チャンネルＣ１，Ｃ２を左右チャンネルに対応させてステレオ方式としてこの発明を実施してもよい。
【図面の簡単な説明】
【００５０】
【図１】この発明の一実施形態に係る演奏再生装置の回路構成を示すブロック図である。
【図２】図１の装置における操作部の一構成例を示す平面図である。
【図３】図１の装置に用いられるハードディスクに関するディジタル録音処理を説明するためのブロック図である。
【図４】図１の装置における演奏再生処理を示すフローチャートである。
【図５】図１の装置における操作割込み処理の一部を示すフローチャートである。
【図６】図５の操作割込み処理の残部を示すフローチャートである。
【符号の説明】
【００５１】
１０：バス、１２：ＣＰＵ、１４：ＲＯＭ、１６：ＲＡＭ、１８：操作検出回路、２０：表示制御回路、２２：ディスク制御回路、２４：クロック発生器、２６，２８：デコーダ、３０，３２，３３：ピッチ制御器、３４：操作部、３６：表示器、３８：ハードディスク、４０：加算器、４２：Ｄ／Ａ変換器、４４：サウンドシステム、ＭＦ：選曲フラグ、ＲＵＮ：再生フラグ、ＰＡＦ：ピッチ修正フラグ、ＭＮＲ：曲番レジスタ、ＰＴＲ，ＴＰＲ：ピッチ変更量レジスタ、ＴＭＲ：テンポ変更量レジスタ、ＴＫ：テンキー群、ＭＳ：選曲スイッチ、ＰＴ：ピッチ変更スイッチ、ＴＭ：テンポ変更スイッチ、ＵＰ：アップスイッチ、ＤＮ：ダウンスイッチ、ＳＤ：標準スイッチ、ＰＡ：ピッチ修正スイッチ、ＳＴＰ：開始／停止スイッチ。 
【図１】
2005257832.tif 000003
【図２】
2005257832.tif 000004
【図３】
2005257832.tif 000005
【図４】
2005257832.tif 000006
【図５】
2005257832.tif 000007
【図６】
2005257832.tif 000008